(57)【要約】      （修正有）【課題】施工性に優れた嵌め殺し窓を提供する。【解決手段】枠１と障子２とを備え、枠１と障子２の間には、枠１に設けたタイト材６ａ、６ｂと、上係合機構３と、下係合機構４と、左右の固定機構を有し、上係合機構３と下係合機構４は、障子２の室外側への移動を規制し、固定機構は、竪枠に見込方向の軸で内周側に回動自在に設けた係止具と、竪框に設けた受け具からなり、係止具を受け具に係止した状態で障子２の室外側への移動を規制するとともに、障子２をタイト材６ａ、６ｂへ圧接する。【選択図】図１
2018040152.tif 000002
【特許請求の範囲】
【請求項１】
枠と障子とを備え、枠と障子の間には、枠に設けたタイト材と、上係合機構と、下係合機構と、左右の固定機構を有し、上係合機構と下係合機構は、障子の室外側への移動を規制し、固定機構は、竪枠に見込方向の軸で内周側に回動自在に設けた係止具と、竪框に設けた受け具からなり、係止具を受け具に係止した状態で障子の室外側への移動を規制するとともに、障子をタイト材へ圧接することを特徴とする嵌め殺し窓。
【請求項２】
枠と障子とを備え、枠と障子の間には、枠に設けたタイト材と、下係合機構と、左右の固定機構を有し、下係合機構は、障子の下方への移動を規制するものであり、固定機構は、竪枠に見込方向の軸で内周側に回動自在に設けた係止具と、竪框に設けた受け具からなり、係止具を受け具に係止した状態で障子の室外側への移動を規制することを特徴とする嵌め殺し窓。
【発明の詳細な説明】
【技術分野】
【０００１】
本発明は、嵌め殺し窓に関する。
【背景技術】
【０００２】
特許文献１には、左右の竪枠において障子を固定した嵌め殺しサッシが、水密性及び気密性に優れていることが開示されている。
【先行技術文献】
【特許文献】
【０００３】
【特許文献１】特開２００７−２７８００２号公報
【発明の概要】
【発明が解決しようとする課題】
【０００４】
特許文献１の嵌め殺しサッシは、障子を室内側へ引き寄せて固定することにより水密性等を確保しているが、引き寄せのためには障子を枠内へ仮固定した後に、ねじを締め込む作業が必要であり、施工性が悪かった。
【０００５】
本発明は、上記事情を鑑みたものであり、施工性に優れた嵌め殺し窓を提供することを目的とする。
【課題を解決するための手段】
【０００６】
請求項１に記載の発明は、枠と障子とを備え、枠と障子の間には、枠に設けたタイト材と、上係合機構と、下係合機構と、左右の固定機構を有し、上係合機構と下係合機構は、障子の室外側への移動を規制し、固定機構は、竪枠に見込方向の軸で内周側に回動自在に設けた係止具と、竪框に設けた受け具からなり、係止具を受け具に係止した状態で障子の室外側への移動を規制するとともに、障子をタイト材へ圧接することを特徴とする。
【０００７】
請求項２に記載の発明は、枠と障子とを備え、枠と障子の間には、枠に設けたタイト材と、下係合機構と、左右の固定機構を有し、下係合機構は、障子の下方への移動を規制するものであり、固定機構は、竪枠に見込方向の軸で内周側に回動自在に設けた係止具と、竪框に設けた受け具からなり、係止具を受け具に係止した状態で障子の室外側への移動を規制することを特徴とする。
【発明の効果】
【０００８】
本発明のうち請求項１記載の発明によれば、障子は、上下の係合機構と左右の固定機構によって室外側への移動が規制されるので、耐風圧性が高い。さらに、固定機構は障子をタイト材へ圧接するので、気密性・水密性を向上させることができる。また、固定機構は、係止具を回動させて受け具に係止させるだけで、障子を固定し、タイト材へ圧接させることができるため、施工性が良い。
【０００９】
本発明のうち請求項２記載の発明によれば、固定機構において係止具を回動させて受け具に係止させるだけで、障子を固定することができるため、施工性が良い。
【図面の簡単な説明】
【００１０】
【図１】嵌め殺し窓の縦断面図である。
【図２】嵌め殺し窓の横断面図である。
【図３】嵌め殺し窓の縦断面図であり、障子取付け時の上下係合機構を示す。
【図４】竪枠へ目板を取付ける際の嵌め殺し窓の横断面図である。
【図５】（ａ）は受け具の平面図、正面図及び側面図を示し、（ｂ）は係止具の平面図、正面図及び側面図を示す。
【図６】固定機構の説明図であって、（ａ）、（ｂ１）及び（ｃ）は室内側から見た斜視図を示し、（ｂ２）は（ｂ１）を室外側から見た斜視図を示す。
【図７】嵌め殺し窓の横断面図の一部であって、（ａ）（ｂ）（ｃ）（ｄ）の順に固定機構において障子を室内側へ引き寄せる過程を示す。
【図８】嵌め殺し窓の縦断面図であり、障子取外し時の上下係合機構を示す。
【発明を実施するための形態】
【００１１】
以下、本発明の実施の形態を図面に基づいて説明する。本発明の嵌め殺し窓は、建物の開口部に設けた枠１と、障子２を備えており、障子２は、枠１と障子２との間に設けた上係合機構３と、下係合機構４と、左右の固定機構５，５によって、枠内の開口部に取り付けてある。
【００１２】
枠１は、図１及び図２に示すように、上枠１３と、下枠１４と、左右の竪枠１５，１５から構成されている。枠１の室外側見付面には、障子２との間にタイト材６ａ，６ｂ，６ｃ，６ｃを備え、嵌め殺し窓の気密性及び水密性を確保している。
障子２は、上框２３と、下框２４と、左右の竪框２５，２５によって四方を枠組みし、その枠内にガラス等のパネル７を保持している。
【００１３】
上係合機構３は、図１に示すように、上枠１３に設けた上係合具３１と、障子２の上框２３に設けた上被係合具３２とを係合するものであり、障子２の室外側への移動を規制している。
上枠１３には、障子２の上框２３に対向する室外側の見付面にタイト材６ａが設けてある。そのタイト材６ａよりも室外側の内周側見込面に、上係合具３１が設けてあり、上係合具３１の室外側端部には、下方に向かって突出する上係合部３１ａが備えてある。
上係合具３１に対向して、上框２３の外周側見込面には、上被係合具３２が設けてある。上被係合具３２は、弾性変形して係脱されるものであって、断面は横向きの略Ｕ字形状であり、室外側に開口を向けて設置されている。上被係合具３２の上部には、上係合部３１ａに対向して上被係合部３２ａが設けてあり、上被係合部３２ａは上係合部３１ａの室内側に位置して係合されている。
【００１４】
下係合機構４は、図１に示すように、下枠１４に設けられた下係合具４１と、障子２の下框２４に設けられた下被係合部４２ａとを係合するものであり、障子２の下方及び室外側への移動を規制している。
下枠１４には、障子２の下框２４に対向する室外側の見付面にタイト材６ｂが設けてある。そのタイト材６ｂよりも室外側に位置する内周側見込面に、下係合具４１が設けてあり、下係合具４１は、障子２を載置する載置部４１ｂと、載置部４１ｂの室外側端部から上方へ突出する下係合部４１ａからなる。
また、下框２４の外周側見込面には、下係合部４１ａに対向する位置に下被係合部４２ａが設けてある。下被係合部４２ａは、下係合部４１ａの室内側に位置して係合されている。
【００１５】
左右の固定機構５，５は、図２に示すように、左右の竪枠１５，１５に夫々設けられた係止具５１によって、障子２の左右の竪框２５，２５に夫々設けられた受け具５２を固定するものであり、障子２の室外側への移動を規制し、障子２を室内側へ引き寄せてタイト材６ａ，６ｂ，６ｃ，６ｃへと圧接している。
竪框２５は、上下方向中間部において、外周側見込面に受け具５２を備える。受け具５２は、図５（ａ）に示すように、平面視略Ｚ字形状をなし、一端が竪框２５の外周側見込面に取り付けられており、外周側にせり出し室内側へ向けて延出した他端は、側面視すると、被係止部５２ｂと、被係止部５２ｂから室内側へ延出する取付片５２ａとが、横向きの略Ｔ字形状をなしている。
【００１６】
竪枠１５には、障子２の竪框２５に対向する室外側の見付面にタイト材６ｃが設けてある。そのタイト材６ｃよりも室内側に位置する内周側見込面に、係止具５１を備え、さらに、係止具５１へ被せるように目板８が取り付けてある。目板８を外した状態の横断面図である図４に示すように、目板８は、竪枠１５に着脱可能であって、竪枠１５へ取り付けられる面には、係止具５１を収納する溝部８ａが設けてある。なお図４は、障子２の固定時における固定機構５を示している。
竪枠１５に備える係止具５１は、図５（ｂ）に示すように、係止部５１ａと、操作部５１ｂからなる。係止部５１ａは、室外側に開口を向けた平面視コ字形状をなし、一側面が竪枠１５の内周側見込面に取り付けてある。他側面側（内周側）の角部には、障子２の取付け時に受け具５２の取付片５２ａが挿通される長孔５１ｈが設けてある。長孔５１ｈは上下方向に伸びており、長孔５１ｈの下方に備える見込み方向の回動軸５１ｃによって回動自在な操作部５１ｂが、長孔５１ｈを挿通して設けてある。
図５（ｂ）は、障子２の非固定時における係止具５１を示しており、操作部５１ｂは、正面視して係止部５１ａと略垂直状態で内周側に倒れ、長孔５１ｈの下方に位置している。このとき、操作部５１ｂの備える二つの係止片５１ｄ，５１ｄは上方に向けて突出している。係止片５１ｄの根元部は、操作部５１ｂの見付面と面一な平坦部５１ｆであり、平坦部５１ｆから先端部へ向かうほど室外側へと傾斜する傾斜部５１ｅが設けてある。
障子２の固定時においては、図６（ｂ１）（ｂ２）に示す状態から、操作部５１ｂは回動軸５１ｃ周りに内周側から外周側へ向けて約９０°回動し、係止片５１ｄ，５１ｄが長孔５１ｈ内に差し込まれるとともに、受け具５２の被係止部５２ｂを挟み込んで図６（ｃ）に示す固定状態となる。
【００１７】
次に、本発明の嵌め殺し窓における、障子２の取付方法と、各取付機構の作用及び効果について説明する。
障子２を枠１へ取り付ける際には、障子２を枠１の室外側から室内側へ向かって取り付ける。最初に、図３（ａ）に示すように、障子２の下框２４を下枠１４の載置部４１ｂへ載せる。このとき、障子２の下被係合部４２ａが、下枠１４の下係合部４１ａを室外側から乗り越えて、下係合部４１ａの室内側に位置するように係合させる。これにより、障子２は下係合部４１ａより室内側の載置部４１ｂに載置され、室外側へ移動して脱落するおそれがない。また、下枠１４に載置部４１ｂが設けてあることにより、障子２を仮置きすることができるため、大型で重量のある障子２を取付ける際も、作業者に負担が掛からず、施工性が良い。
【００１８】
そして、図３（ｂ）に示すように、障子２の上框２３を、室内側へ押し込むと、上框２３の上被係合具３２は、上枠１３の上係合部３１ａによって押し下げられ、弾性変形しながら室内側へ移動する。上被係合部３２ａが上係合部３１ａを室外側から室内側へ乗り越えた際に、上被係合具３２が弾性復帰することで、上框２３と上枠１３が係合する。この状態において、障子２は上係合機構３と下係合機構４により枠内へ納まっており、室外側への移動が規制されているため、室外側へ倒れないよう障子２を支えておく必要がなく、施工性が良い。
【００１９】
ここまでの過程を固定機構５において示したものが、図６（ａ）（ｂ１）（ｂ２）、及び図７（ａ）（ｂ）である。障子２の取り付け時、操作部５１ｂは、長孔５１ｈの下方に、内周側へ回動させて倒した状態である。障子２を室内側へ嵌め込むと、受け具５２は係止具５１へ近づき、取付片５２ａが室外側から室内側へ向かって長孔５１ｈへ挿通される。取付片５２ａが長孔５１ｈの室内側へ通り抜けると、図６（ｂ１）（ｂ２）のように、受け具５２の被係止部５２ｂが、長孔５１ｈ内における操作部５１ｂの上方に位置する。この状態から、操作部５１ｂを内周側から外周側へ向かって約９０°回動させると、二つの係止片５１ｄ，５１ｄが受け具５２の被係止部５２ｂを上下両側から挟み込むとともに、長孔５１ｈ内に収納されることにより、受け具５２が係止具５１に係止され、図６（ｃ）に示す固定状態となる。つまりは、上係合機構３と下係合機構４により障子２を枠内へ納めた後、係止具５１の操作部５１ｂを回動させるだけで障子２を枠１に固定することができる。したがって、障子は、上下の係合機構と左右の固定機構によって室外側への移動が規制されるので、耐風圧性が高い。
【００２０】
さらに、この二つの係止片５１ｄ，５１ｄが被係止部５２ｂを挟み込む過程において、障子２を室内側へ引き寄せることができる。図６（ｂ１）に示すように、係止片５１ｄ，５１ｄにて斜線で示す室内側の面が、取付片５２ａと接する当接面５１０であり、図６（ｂ２）に示すように、取付片５２ａにて斜線で示す室外側の面が、当接面５１０と接する被当接面５２０である。係止片５１ｄ，５１ｄの先端に形成された傾斜部５１ｅが、当接面５１０において被当接面５２０を室外側から室内側へとガイドする役割を担っている。操作部５１ｂを内周側から外周側へ向かって回動させると、図７（ｃ）に示すように、長孔５１ｈ内において、まず、取付片５２ａの被当接面５２０に、傾斜部５１ｅの当接面５１０が当接する。係止片５１ｄ，５１ｄは、長孔５１ｈ内に差し込まれるにつれて、被当接面５２０を、係止片５１ｄ，５１ｄの傾斜部５１ｅの先端から根元の平坦部５１ｆへ向かって摺動させるとともに、室内側へ押圧するため、受け具５２は室外側から室内側へ引き寄せられる。図７（ｄ）に示すように、係止片５１ｄ，５１ｄの平坦部５１ｆが被当接面５２０へ達したとき、受け具５２は係止具５１に係止された状態となり、障子２全体としても枠１の室内側へ引き寄せられ、上框２３、下框２４、左右の竪框２５，２５が夫々タイト材６ａ，６ｂ，６ｃ，６ｃに圧接されて固定されるため、気密性・水密性を向上させることができる。固定機構５では、係止具５１を回動させて受け具５２に係止させる動作のみで、障子２の引き寄せと固定を同時に行うことができるため、施工性が良い。
【００２１】
このように係止具５１を受け具５２に係止した状態で、図４に示すように、係止具５１の上から竪枠１５に目板８を嵌める。係止具５１は、目板８に設けた溝部８ａに収納されるが、溝部８ａは、受け具５２に係止した状態でなければ係止具５１が納まらないように形成されている。従って、仮に係止具５１を受け具５２に係止し忘れた場合は、目板８を嵌めることができなくなるため、施工を確実に行うことができる。
【００２２】
次に、本発明の嵌め殺し窓における、障子２の取り外し方法を説明する。
まず、左右の竪枠１５から目板８を外した後、係止具５１の操作部５１ｂを内周側へ回動させて、固定機構５を解除する。そして、障子２の下框２４を上方へ持ち上げると、図８（ａ）に示すように、上被係合具３２が弾性変形するとともに、下框２４が載置部４１ｂから離れ、下係合部４１ａと下被係合部４２ａとの係合が解除される。この状態から、図８（ｂ）に示すように、下框２４を室外側へ移動させると、上係合部３１ａと上被係合部３２ａとの係合が解除されて、枠１から障子２を取り外すことができる。
【００２３】
本発明は、上記の実施形態に限定されず、本発明の要旨を逸脱しない範囲で適宜変更可能である。例えば、上係合機構における上係合具及び上被係合具、下係合機構における下係合具及び下被係合部、固定機構における係止具及び受け具は、各々一つ以上備えるものであれば、個数に制限はなく、枠と障子の大きさによって任意の個数を備えてもよい。
【符号の説明】
【００２４】
１      枠
２      障子
３      上係合機構
４      下係合機構
５      固定機構
６ａ，６ｂ，６ｃ      タイト材
８      目板
１３    上枠
１４    下枠
１５    竪枠
２３    上框
２４    下框
２５    竪框
５１    係止具
５２    受け具
【図１】
2018040152.tif 000003
【図２】
2018040152.tif 000004
【図３】
2018040152.tif 000005
【図４】
2018040152.tif 000006
【図５】
2018040152.tif 000007
【図６】
2018040152.tif 000008
【図７】
2018040152.tif 000009
【図８】
2018040152.tif 000010